(57)【特許請求の範囲】
【請求項１】
略四角形の受圧面の周縁に接合縁を設けた単位体パネルを、複数枚接合縁同士をボルトによって組み合わせ、底壁、側壁、天井壁を形成してなるパネル組立式タンクにおいて、少なくとも前記天井壁を形成する単位体パネルの接合縁をタンク内側となるように組立て、天井壁の下方に天井壁の受圧面とは間隔を有するように、波板状であり、且つ、水圧により容易に変形する衝突エネルギー吸収体の両端の接合縁を天井壁の単位体パネル接合縁に固定することを特徴とするパネル組立式タンク。
【発明の詳細な説明】
【０００１】
【発明の属する技術分野】
本発明は、水、温水、温泉水、海水又は薬液等を貯留する金属製又は合成樹脂製のパネル組立式タンクに関する。
【０００２】
【従来の技術】
パネル組立式タンクは、略四角形の受圧面の周縁に接合縁を設けて合成樹脂又は金属によって形成させた単位体パネル複数枚を、パッキングを介してボルト等により締結し、底板、側壁、天井壁を組み立てて直方体のタンクを形成している。タンクの設置場所は、その使用目的により異なり、中でも建築物の屋上や地下に設けることが多い。
【０００３】
また、タンクの大きさ（容積）は、組み合わせる単位体パネルの枚数により任意に選べ、タンクの内容物によっては、単位体パネルに保温材を貼り付け、暖かい水を貯留することも可能である。
【０００４】
【発明が解決しようとする課題】
しかしながら、従来のパネル組立式タンクには以下のような問題があった。１つには、地震が発生した際に、タンク内貯留液の固有振動数と地震の卓越周期との共振により液面が揺動するスロッシングが発生することである。万一スロッシングが発生すると、図８に示すように液面が天井壁１に衝突することによって生じる波頭衝撃圧が、天井壁１に作用し、天井壁１が破損する恐れがある。もう１つには、天井用単位体パネル９が、通常時水圧がかからないことから、側壁２や底壁３に使用されている単位体パネルに比べ薄肉に製作されていることが多く、そのような天井用単位体パネル９を使用している場合には、スロッシング発生時に破損しやすいという問題である。
【０００５】
本発明は、以上のよううな問題点に鑑み、地震発生時のスロッシングに対して充分な天井壁の強度を有するパネル組立式タンクを提供することを目的とする。
【０００６】
【課題を解決するための手段】
本発明は、図２に示すように、略四角形の受圧面１１の周縁に接合縁１２を設けた単位体パネルを、複数枚接合縁１２同士をボルト５によって組み合わせ、底壁３、側壁２、天井壁１を形成してなるパネル組立式タンクにおいて、少なくとも前記天井壁１を形成する単位体パネルの接合縁１２をタンク内側となるように組立て、天井壁１の下方に天井壁の受圧面１１とは間隔８を有するように、衝突エネルギー吸収体４の両端の接合縁を天井壁１の単位体パネル接合縁１２に固定することを特徴とする。また、衝突エネツギー吸収体４は、図５に示す波板形状１７をしている。
【０００７】
【発明の実施の形態】
本発明においては、万一地震によりスロッシングが起きた場合でも、その波頭衝撃圧が、天井用単位体パネルと衝突エネルギー吸収体に分散されるために、天井用単位体パネルが破損することがない。
【０００８】
本発明に用いられる衝突エネルギー吸収体は、合成樹脂製又は金属製の板状体で形成され、その形状は、平板状、曲面板状又は波板状の何れでも良く、板状体に波頭衝撃圧をやわらげるための複数の孔を設けると効果が更に上がる。そして、薄い金属板又は合成樹脂板によって製作された衝突エネルギー吸収体は、該吸収体自身の変形により波頭衝撃圧を吸収するために好適に用いられる。
【０００９】
本発明に用いられる衝突エネルギー吸収体の設置は、吸収体である板状体の周縁に接合縁を設け、前記板状体の接合縁が天井壁全面又は天井壁を形成する任意の場所の単位体パネルの受圧面周縁の接合縁にボルトによって固定される。
【００１０】
【実施例】
図１は、本発明のパネル組立式タンク１３の外観図を示すものであり、接合縁１２を有する複数枚の単位体パネル１４をパッキングを介してボルトにより締結し、天井壁１、側壁２及び底壁３（図示省略）を有した箱型のものを形成している。図２は、図１に示すパネル組立式タンク１３の断面図であり、天井用単位体パネル９は、接合縁１２をパネル組立式タンク１３内部に向けて組立てられていることを示している。前記天井用単位体パネル９の接合縁１２には、衝突エネルギー吸収体４をボルト５及びナット６にて締結しており、天井用単位体パネル９の受圧面１１と衝突エネルギー吸収体４の間には、間隔８を設けている。
【００１１】
衝突エネルギー吸収体４は、図３に示すように、合成樹脂製の平板に複数の孔１５を穿ち、周縁には天井用単位体パネル９の接合縁１２に締結するための接合縁１０を有している。孔１５は、前述したように波頭衝撃圧の一部を天井壁１に逃がすために設けられており、波頭衝撃圧を衝突エネルギー吸収体４及び天井壁１に分散させている。更に、衝突エネルギー吸収体４を合成樹脂製にしたために、衝突エネルギー吸収体４自身の変形によっても波頭衝撃圧を吸収している。
【００１２】
図４及び図５は、衝突エネルギー吸収体４の別の実施例を示している。図４に示す衝突エネルギー吸収体４は、合成樹脂製の平板中央部に突出部１６を設けたものであり、波頭衝撃圧を受けた際に前記突出部１６が最大で現在の突出方向とは逆の方向へ突出するまでの大変形をして力を吸収するようになっている。図５に示す衝突エネルギー吸収体４は、波形形状１７をしており、凹凸が波頭衝撃圧を吸収緩和している。
【００１３】
図６及び図７は、衝突エネルギー吸収体４の配置図であり、衝突エネルギー吸収体４を自由な位置に配置できることを示し、図面では省略しているが、天井壁１全面を覆うような配置をすることも可能である。但し、孔１５のない衝突エネルギー吸収体４の場合には、天井壁１全面を覆うような配置は、好ましくない。これは、例え波頭衝撃圧を衝突エネルギー吸収体４が吸収緩和するとはいっても、天井壁１との力の分散が不可能であり、衝突エネルギー吸収体４が破損する危険性があるためである。
【００１４】
【発明の効果】
以上説明したとおり、本発明によれば、地震の際に例えスロッシングが発生したとしても、衝突エネルギー吸収体４を設置したために、波頭衝撃圧を分散することができるので、天井壁破損を防止することができる。
【図面の簡単な説明】
【図１】本発明の実施例によるパネル組立式タンクの外観図である。
【図２】図１に示すパネル組立式タンクの断面図である。
【図３】本発明に用いる、衝突エネルギー吸収体の平面図及び側方断面図である。
【図４】本発明に用いる、他の衝突エネルギー吸収体の平面図及び側方断面図である。
【図５】本発明に用いる、その他の衝突エネルギー吸収体の平面図及び側方断面図である。
【図６】本発明の実施例による衝突エネルギー吸収体の配置図である。
【図７】本発明の他の実施例による衝突エネルギー吸収体の配置図である。
【図８】従来のパネル組立式タンクの内部構造を示す断面図である。
【符号の説明】
１．天井壁  ２．側壁  ３．底板  ４．衝突エネルギー吸収体  ５．ボルト  ６．ナット  ７．パッキング  ８．間隔  ９．天井用単位体パネル  １０．接合縁１１．受圧面  １２．接合縁  １３．パネル組立式タンク  １４．単位体パネル  １５．孔  １６．突出部  １７．波形形状
【図１】
0003865086.tif 000002
【図２】
0003865086.tif 000003
【図３】
0003865086.tif 000004
【図４】
0003865086.tif 000005
【図５】
0003865086.tif 000006
【図６】
0003865086.tif 000007
【図７】
0003865086.tif 000008
【図８】
0003865086.tif 000009